(57)【特許請求の範囲】
【請求項１】
建物に存在する段差部の前側に設置される段差部用踏台であって、踏板と、該段差部の上面よりも低い位置に該踏板を支持する支持フレームとからなり、該支持フレームの該段差部の側の左右一対の脚を、該段差部に固定されている左右一対のＬ型固定ブラケットの嵌合孔にそれぞれ嵌合したことを特徴とする段差部用踏台。
【請求項２】
該支持フレームは、上梁の両縁から脚を垂下させた一対の側枠と、該側枠の上梁相互間に差し渡された２以上の接続梁とからなる請求項１に記載の段差部用踏台。
【請求項３】
該踏板には、該支持フレームにおける側枠の上梁および／または接続梁に嵌合する嵌合部が形成されており、該嵌合部が該上梁および／または接続梁に嵌合することにより、該踏板は該支持フレームに固定される請求項２に記載の段差部用踏台。
【発明の詳細な説明】
【０００１】
【発明の属する技術分野】
本発明は、例えば建物の上がり口、勝手口、縁側等における大きい段差を小さくするための踏台に関するものである。
【０００２】
【発明の背景及び発明が解決しようとする課題】
建物の出入口等には一般的に段差があり、特に和風の建物における上がり口、勝手口、縁側等の段差部には、２０cm以上の段差がある場合がある。
しかしながら、例えば老人や病人にとって、かゝる大きな段差を有する段差部を昇降するのは困難であり、転倒等の危険があった。
【０００３】
従って、本発明の課題は、建物に存在する段差を小さくし、老人や病人であっても段差部を容易に昇降できるようにする手段を提供することである。
【０００４】
【課題を解決するための手段】
本発明は、上記従来の課題を解決するための手段として、建物に存在する段差部(5) の前側に設置される段差部用踏台(1) であって、踏板(2) と、該段差部(5) の上面よりも低い位置に該踏板(2) を支持する支持フレーム(3) とからなり、該支持フレーム(3) の該段差部(5) の側の左右一対の脚(312) を、該段差部(5) に固定されている左右一対のＬ型固定ブラケット(4) の嵌合孔にそれぞれ嵌合した段差部用踏台(1) を提供するものである。
該支持フレーム(3) は、上梁(311) の両縁から脚(312) を垂下させた一対の側枠(31)と、該側枠(31)の上梁(311) 相互間に差し渡された２以上の接続梁(32a,32b,32c) とからなることが望ましく、また該踏板(2) には、該支持フレーム(3) における側枠(31)の上梁(311) および／または接続梁(32a,32b,32c) に嵌合する嵌合部(221,222,241,242) が形成されており、該嵌合部(221,222,241,242) が該上梁(311) および／または接続梁(32a,32b,32c) に嵌合することにより、該踏板(2) は該支持フレーム(3) に固定されることが望ましい。
【０００５】
【発明の実施の形態】
以下、図面を参照して本発明を詳細に説明する。
本発明の一実施形態による段差部用踏台を図１〜図４に示す。本実施形態による段差部用踏台(1) は、踏板(2) と、支持フレーム(3) と、Ｌ型固定ブラケット(4) とから構成される。
【０００６】
該踏板(2) においては、周縁が下方に屈曲してフランジ(22)となっており、長手方向の一対のフランジ(22a) の両端部には円弧状切欠(221) が形成されており、該一対のフランジ(22a) の裏面には係合突起(222) がそれぞれ２個ずつ形成されている。
【０００７】
該踏板(2) 表面(21)には滑り止め加工がされており、本実施形態では、該表面(21)における三方の縁（段差部(5) 側の縁以外の縁）に複数の凸条(25)が形成されており、該凸条(25)の内側は粗面(26)とされている。
更に、該踏板(2) の裏面には補強のための横リブ(23)と縦リブ(24)とがそれぞれ直交するように複数本形成されており、該縦リブ(24)の両端は斜めにカットされた傾斜端(241) となっており、該縦リブ(24)の中央部にはＶ字状切欠(242) が形成されている。
【０００８】
該踏板(2) は、例えば、ポリエチレン、ポリプロピレン、エチレン−プロピレン共重合体、エチレン−酢酸ビニル共重合体、塩化ビニル樹脂、スチレン樹脂、ポリアセタール、ポリカーボネート、酢酸ビニル樹脂、フッ素樹脂、アクリル樹脂、ポリエステル樹脂、ポリアミド樹脂、ウレタン樹脂、アクリロニトリル−ブタジエン樹脂、スチレン−ブタジエン樹脂、アクリロニトリル−ブタジエン−スチレン樹脂等の硬質プラスチック、該硬質プラスチックの低発泡体、あるいは硬質プラスチック充填材（例えばタルク等）を配合した樹脂等を材料として、射出成形等によって製造される。
【０００９】
支持フレーム(3) は、上梁(311) の両縁から脚(312) を一体的に屈曲垂下させた一対のコの字型の側枠(31)と、該側枠(31)の上梁(311) 相互間に差し渡された３本の接続梁(32a,32b,32c) とからなる。該支持フレーム(3) は、人を支持できる強度を具備すれば、いかなる材料で製造してもよく、通常アルミニウム、鉄、ステンレス等の金属や、プラスチック、ＦＲＰ、木材等が使用される。なお、各脚(312) の下端には、プラスチック、ゴム等からなる脚端用キャップ(313) が被着されている。
【００１０】
図１及び図２に示すように上記踏板(2) におけるフランジ(22a) の円弧状切欠(221) に該支持フレーム(3) における側枠(31)の上梁(311) が嵌合し、図３に示すように上記踏板(2) における縦リブ(24)のＶ字状切欠(242) に該支持フレーム(3) における３本の接続梁のうち中央の接続梁(32b) が嵌合し、該縦リブ(24)の傾斜端(241) と該フランジ(22a) との間に両端の接続梁(32a,32c) が嵌合するとともに、図４に示すように該フランジ(22a) 裏面の係合突起(222) が該接続梁(32a,32c) の下側に係合することにより、上記踏板(2) は該支持フレーム(3) に取付け固定される。
【００１１】
Ｌ型固定ブラケット(4) は、取付部(41)と、該取付部(41)の下端から屈曲形成される受け部(42)とからなり、該受け部(42)には該支持フレーム(3) の脚(312) が嵌合する嵌合孔(43)が設けられている。
該Ｌ型固定ブラケット(4) はビス(6) によって段差部(5) の前面に取付部(41)を固定することによって左右一対取付けられ、各Ｌ型固定ブラケット(4) の受け部(42)の嵌合孔(43)に、該支持フレーム(3) の段差部(5) 側の左右一対の脚(312) を嵌合貫通させる。
このようにして、本段差部用踏台(1) は該Ｌ型固定ブラケット(4) を介して段差部(5) および床に固定される。
【００１２】
段差部用踏台(1) の高さｈは、段差部(5) の高さＨよりも低く設定すれば特に限定されないが、該段差部(5) の高さＨの略半分になるように設定するのが好ましく、具体的には１００〜１８０mmであるのが好ましい。該段差部用踏台(1) の幅Ｗは、人が昇降するのに適した幅であれば特に限定されず、通常３００〜４５０mmである。
【００１３】
以上説明した本発明の段差部用踏台(1) によれば、建物に存在する段差を小さくすることができ、老人や病人であっても段差部(5) を容易に昇降することができる。また、該段差部用踏台(1) は、段差部(5) に対する固定手段を有しているため、人が該段差部用踏台(1) を踏み台にして段差部(5) を昇降する際にも安定性に優れ、該段差部用踏台(1) のずれ、転倒等による事故が防止される。
【００１４】
以上、図面を参照して本発明を説明したが、本発明の段差部用踏台は、図面に示した態様に限定されることなく、本発明の範囲を逸脱しない限り種々の変更を施すことができる。例えば、支持フレーム(3) における接続梁は２本又は４本以上であってもよいし、脚端キャップ(313) はなくてもよい。また、踏板(2) 裏面における縦リブ(24)中央部の切欠は半円状であってもよいし、該縦リブ(24)の両端は円弧状にカットされていてもよい。
【００１５】
【発明の効果】
本発明の段差部用踏台は段差の高さに関係なく段差の手前に固定することができ、建物に存在する段差を小さくすることができる。したがって老人や病人であっても段差部を容易に昇降できるようになる。
【図面の簡単な説明】
【図１】本発明の一実施形態による段差部用踏台の斜視図である。
【図２】図１における段差部用踏台の分解斜視図である。
【図３】図１における段差部用踏台のＸ−Ｘ断面図である。
【図４】図１における段差部用踏台の部分断面図である。
【符号の説明】
1             段差部用踏台
2             踏板
221         円弧状切欠（嵌合部）
222         係合突起（嵌合部）
241         傾斜端（嵌合部）
242         Ｖ字状切欠（嵌合部）
3             支持フレーム
31           側枠
311         上梁
312         脚
32a,32b,32c  接続梁
4             Ｌ型固定ブラケット
41           取付部
42           受け部
43           嵌合孔
5             段差部
【図１】
0003754631.tif 000002
【図２】
0003754631.tif 000003
【図３】
0003754631.tif 000004
【図４】
0003754631.tif 000005